(57)【要約】【課題】下流側への流出が止水されたマンホール内の下水を汲み上げ、排出管路途中に中継ポンプを設けた下水処理システムにおいて、中継ポンプ、排出ポンプまたはマンホール内の水位に異常が生じたときでも、効率よく常に安定的に排水状態を維持することのできる排出管路のバイパスシステムを提供する。【解決手段】中継ポンプ１０と連通する排出管路に一対の切替弁１５ａ、１５ｂを介して中継ポンプ１０を迂回するバイパス管路６を接続し、中継ポンプ１０の異常時に切替弁１５ａ、１５ｂを切替えて排出ポンプ２から吐出する下水をバイパス管路６を通して下流側に排出する。【選択図】図１
2004250881.tif 000002
【特許請求の範囲】
【請求項１】
下流側への流出が止水されたマンホール内に設けられた排出ポンプと、
前記排出ポンプの吐出口に接続した排出管路と、
前記排出管路途中に設けた中継ポンプと、
前記中継ポンプの異常を検出する中継ポンプ異常検出手段と、
前記中継ポンプをバイパスするバイパス管路と、
前記排出管路とバイパス管路との接続部に配した一対の切替弁と、
前記中継ポンプ異常検出手段からの検出信号に応じて、前記一対の切替弁のうち少なくとも一方の切替弁の切替制御信号を出力する制御装置と、
を備えたことを特徴とする排出管路のバイパスシステム。
【請求項２】
前記一対の切替弁のうち一方の切替弁が制御信号により切替えることのできる弁であり、他方の切替弁が手動の弁であることを特徴とする請求項１記載のバイパスシステム。
【請求項３】
前記マンホール内に異常水位検出手段を備え、
前記異常水位検出手段からの検出信号により、前記制御装置が前記切替弁の切替制御を行うことを特徴とする請求項１又は２記載のバイパスシステム。
【請求項４】
前記マンホール内に予備排出ポンプを更に備え、
前記予備排出ポンプの吐出口に接続した予備排出管路を、前記上流側における接続部よりも更に上流側において、第２の切替弁を介して前記排出管路に接続し、
前記排出ポンプには同排出ポンプの異常を検出する排出ポンプ異常検出手段を備え、
前記異常水位検出手段又は前記排出ポンプ異常検出手段からの検出信号により、前記制御装置が前記排出ポンプの運転から前記予備排出ポンプへの運転切替制御及び前記第２の切替弁の切替制御を行うことを特徴とする請求項３記載のバイパスシステム。
【請求項５】
前記制御装置が、前記バイパスシステムにおける異常を検出したときに、通信手段を介して前記異常を通報する通報手段を有することを特徴とする請求項１から４のいずれかに記載のバイパスシステム。
【発明の詳細な説明】
【０００１】
【発明の属する技術分野】
本発明は、マンホール内において、排出ポンプ、排出管路等を用いてマンホール内に流入した下水を外部に排出するうえで、排出ポンプ等に異常状態が発生した場合でも効率よくしかも安全に異常状態を回避することのできる排出管路のバイパスシステムに関する。
【０００２】
【従来技術】
従来からマンホール内に流入する下水を排出ポンプにより汲み上げて外部に排出する下水用ポンプシステムが知られている。これらの下水用ポンプシステムにおいて、マンホール内に主の水中ポンプの他に予備の水中ポンプを配置し、主の水中ポンプの閉塞状態を予測して予備の水中ポンプに切替える水中ポンプの閉塞検出方法（例えば、特許文献１参照。）、同じく、予備のポンプをマンホール内に設けた下水用ポンプシステム（例えば、特許文献２参照。）が提案されている。
【０００３】
また、汚水枡内に汚水を排水する複数の配管からのそれぞれの汚水を自動集水器内に集めて外部に排出する装置（例えば、特許文献３参照。）が提案されている。
【０００４】
特許文献１に記載されたマンホール内蔵ポンプの吐出量予測方法について、図５を用いて説明する。
マンホール２１内の水位がポンプ起動水位ＨＷＬにあるとき、主の水中ポンプ２２Ａ、２２Ｂを起動してポンプ停止水位ＬＷＬにまで水位が低下するまでの時間Ｔを計測し、ポンプ起動水位ＨＷＬからポンプ停止水位ＬＷＬまでの貯蔵容量をＶとし、水中ポンプ２２Ａ、２２Ｂの駆動中にマンホール内に流入する予定最大流入量をＱｉ、２台の水中ポンプ２２Ａ、２２Ｂの予定吐出量をＱｏとしたときに、計測時間Ｔが、Ｔ＞Ｖ（Ｑｏ−Ｑｉ）の式を満足するときに水中ポンプ２２Ａ、２２Ｂはポンプ閉塞状態となっていると判断して、図示せぬ予備の水中ポンプを駆動させるものである。
【０００５】
また、特許文献２に記載されたものは、フロートスイッチに汚物、油分等のスカムが付着するのを防止するため、フロートスイッチを出来るだけ水面上に浮いている状態を少なくしているものであるが、水中ポンプとして２台マンホール内に設置され、明細書には詳細には説明されていないが、２台の水中ポンプの切替え及びそれぞれの水中ポンプからの配水管にバルブらしきものが配置されている構成が記載されている。
【０００６】
特許文献３に記載されたものは、図６を用いて説明するように、汚水枡３１に汚水を排出する複数の配管３２内にドラム状器具３３を取り付け、同ドラム状器具３３によって汚水を止水するとともに導管３８によって配管３２内の汚水を自動集水器３９に集めている。自動集水器３９と各導管３８との間にはそれぞれバルブ３７を介在させ、導管３８に設けた水位センサ３４からの検出信号により対応するバルブ３７の開閉制御を行っている。
【０００７】
しかし、特許文献１〜３に記載された下水用ポンプシステムでは、マンホールや汚水枡から汲み上げた下水を下流側のマンホール等に排水するのを、マンホールや自動集水器に配したポンプの吐出圧で汚水を圧送するだけであった。しかも、下水側のマンホールまでの距離が長い時には汚水を十分に圧送することができなかった。
【０００８】
下水側のマンホールまでの距離が長い時には、搬送管路の途中に中継用のポンプを配設することも考えられるが、中継用ポンプに異常をきたしたときには、上流側のマンホールや汚水枡からの汚水を下流側のマンホール等に圧送することができなくなり、上流側のマンホールから汚水が溢れ出てしまうという最悪の異常事態が発生してしまう。
【０００９】
【特許文献１】
特開平６−２９４３９１号公報
（要約、段落番号０００５〜０００６、０００８〜００１０、図１、図２参照）
【特許文献２】
特開平７−１８７２９号公報
（要約、段落番号００２３〜００２４、図１〜図３参照）
【特許文献３】
特開２００１−１１９３４号公報
（要約、段落番号０００５〜０００６、図１〜図８参照）
【００１０】
【発明が解決しようとする課題】
本発明では、下流側への流出が止水されたマンホール内に設置された排出ポンプを用いてマンホール内に流入する下水を汲み上げ、汲み上げた下水の排出管路途中に中継ポンプを設けた下水処理システムにおいて、中継ポンプ、排出ポンプまたはマンホール内の水位に異常が生じたときでも、効率よく常に安定的に排水状態を維持することのできる排出管路のバイパスシステムを提供することにある。
【００１１】
【課題を解決するための手段】
上記課題は、以下の事項を備えた本願各請求項に係わる発明により効果的に達成される。
即ち、請求項１に係わる発明は、下流側への流出が止水されたマンホール内に設けられた排出ポンプと、前記排出ポンプの吐出口に接続した排出管路と、前記排出管路途中に設けた中継ポンプと、前記中継ポンプの異常を検出する中継ポンプ異常検出手段と、前記中継ポンプをバイパスするバイパス管路と、前記排出管路とバイパス管路との接続部に配した一対の切替弁と、前記中継ポンプ異常検出手段からの検出信号に応じて前記一対の切替弁のうち少なくとも一方の切替弁の切替制御信号を出力する制御装置とを備えたことを特徴とする排出管路のバイパスシステムにある。
【００１２】
この発明では、下流側への流出が止水されたマンホール内に流入した下水を排出ポンプにて汲み上げ、汲み上げた下水を下流側に排水する排出管路途中に中継ポンプを介在させた下水処理システムにおいて、中継ポンプ間をバイパスするバイパス管路を一対の切替弁を介して接続し、中継ポンプの異常時に前記切替弁を切替えることで、排出ポンプで圧送された下水をバイパス管路内に流すことで中継ポンプを迂回して排出することができる。
【００１３】
切替弁としては、三方切替弁、チェック弁、開閉弁等の流路を切替えることが出来る切替弁を用いることができるが、切替弁内を流れる流体が汚水、汚物、油等を含んだ家庭用排水、工場用排水等からなる下水であるので弁内の流路がフルボア形の切替弁であることが望ましい。また、一対の切替弁の両方を制御装置により切替制御することも、一方の切替弁を制御装置により切替制御を行い、他方の切替弁は手動操作により切替を行うこともできる。
【００１４】
中継ポンプ異常検出手段としては、中継ポンプ内に設けた温度センサによるモータ焼けによる温度上昇の検出や、漏電、電流ショートによって過電流が流れた時にブレーカが飛ぶこと等、適宜のポンプ異常を検出する検出手段を用いることができる。
制御装置は、上述のポンプの異常を検出する検出手段からの検出信号を入力し、予め設定された処理条件に基づいて切替弁の切替制御を行うための制御信号を切替弁に対して出力する。また、必要に応じて制御装置に中継ポンプの異常状態の通報、警報等行わせることもできる。
【００１５】
この発明により、下流側への流出が止水されたマンホール内に流入した下水を排出ポンプにて排出管路内に大流量が圧送されているときに、中継ポンプに異常が発生しても大流量の下水をバイパス管路により中継ポンプを迂回してそのまま圧送することができるので、バイパス管路で迂回させている間に中継ポンプの修理を行うことができる。また、中継ポンプの修理中でも下水がマンホールから溢れ出ることを防止することができる。
【００１６】
請求項２に係わる発明は、一対の切替弁のうち一方の切替弁が制御信号により切替えることのできる切替弁であり、他方の切替弁が手動の弁である事項を限定したバイパスシステムにある。
【００１７】
この発明では、バイパス管路と排出管路間に設けた一対の切替弁のうち一方の切替弁が制御信号により自動制御することができる切替弁を用い、他方の切替弁としては、手動操作により流路の切替を行うことができる手動の弁を用いたことを特徴としている。また、切替弁としては、フルボア形の弁であることが望ましい。
【００１８】
どちらか一方の切替弁が制御信号により自動的に切替われば、流路はバイパス管路側に切替わるため、バイパス管路の上流側と下流側に設けた両方の切替弁を制御信号により切替える場合に比べ、システムを簡素なものとすることができる。この場合においては、作業員が他方の手動操作可能な弁を閉じることにより、中継ポンプの修理、取り外し等を行うことができる。
【００１９】
請求項３に係わる発明は、請求項１又は２に記載の事項に加えて、マンホール内に異常水位検出手段を備え、前記異常水位検出手段からの検出信号により、制御装置が切替弁の切替制御を行う事項を限定したバイパスシステムにある。
この発明では、異常水位検出手段としてマンホール内に備えた水位検出器から異常水位を検出したときに、切替弁を切替えることでバイパス管路を介して下水を下流側に排出することができる。マンホール内における水位が異常水位となる場合としては、排出ポンプの吐出量以上の下水が流入した場合や排出ポンプの異常、中継ポンプの異常等が想定されるが、どの場合でもマンホール内が異常水位となったときには、下水がマンホールから溢れ出てしまうという異常状態が発生してしまう。
【００２０】
この発明では、マンホール内の異常水位が中継ポンプの異常により発生した場合も考慮して、異常水位を検出したときには、バイパス管路を介して下水を下流側に排出するようにしたもので、バイパス管路を介して下水を流している間に、中継ポンプの異常に対する処理を行うことができるようになる。
【００２１】
請求項４に係わる発明は、請求項３記載の事項に加えて、マンホール内に予備排出ポンプを更に備え、前記予備排出ポンプの吐出口に接続した予備排出管路を、前記上流側における接続部よりも更に上流側において、第２の切替弁を介して前記排出管路に接続し、前記排出ポンプには同排出ポンプの異常を検出する排出ポンプ異常検出手段を備え、前記異常水位検出手段又は前記排出ポンプ異常検出手段からの検出信号により、前記制御装置が前記排出ポンプの運転から前記予備排出ポンプへの運転切替制御及び前記第２の切替弁の切替制御を行う事項を限定したバイパスシステムにある。
【００２２】
この発明では、マンホール内に排出ポンプの他に予備排出ポンプを配設し、予備排出ポンプからの予備排出管路と排出ポンプからの排出管路とを第２の切替弁を介して接続したもので、排出ポンプの異常を検出したとき、又はマンホール内の常水位を検出したときには、排出ポンプの運転から予備排出ポンプの運転に切替えるとともに、第２の切替弁を切替えることで予備排出ポンプによってマンホール内の下水を下流側に排出することができる。
【００２３】
このとき、中継ポンプを迂回したバイパス管路への切替えを行うこともできる。バイパス管路への切替えに条件を設け、排出ポンプに異常が発生したときやマンホール内の水位が異常水位となったときにはバイパス管路への切替えを行わずに、予備排出ポンプ及び予備排出管路への切替えを行い、所定時間経過に異常水位が解消されないときには、バイパス管路への切替を行うこともできる。
【００２４】
第２の切替弁としては、三方切替弁、チェック弁、開閉弁等の流路を切替えることが出来る切替弁を用いることができるが、切替弁内を流れる流体が汚水、汚物、油等を含んだ家庭用排水、工場用排水等からなる下水であるので弁内の流路がフルボア形の切替弁であることが望ましい。
【００２５】
請求項５に係わる発明は、請求項１から４のいずれかに記載の事項に加えて、制御装置がバイパスシステムにおける異常を検出したときに、通信手段を介して前記異常を通報する通報手段を有する事項を限定したバイパスシステムにある。
【００２６】
この発明では、バイパスシステムにおける異常を検出したときに、通信手段を介して異常事態の発生を外部に知らせることが出来るので、異常事態を迅速にしることができ、異常事態に対する対処も迅速に行うことができる。また、通信手段を介して異常事態の通報を行うため、通報を受ける者がどの場所に居ようと四六時中異常状態の発生を通報することが出来る。異常事態は、通信手段を介して外部に通報すると共に警報音等を発生させることもできる。
【００２７】
バイパスシステムにおける異常としては、中継ポンプの異常、排出ポンプの異常、マンホール内における異常水位などがある。通信手段としては、電話回線、携帯電話等による既存の電話通信システムのほかに無線通信システム等がある。
【００２８】
【発明の実施形態】
以下、本発明の好適な実施の形態を添付図面に基づいて具体的に説明する。本発明は、地中に埋設された下水管を清掃、検査、補修、交換等の作業を行う際に、同作業区間に汚水等が流れないようにするため、作業区間の上流側にある下水管を止水し、止水した下水管の上流側にあるマンホール等に流入する下水を前記作業区間をバイパスして排水する排出管路のバイパスシステムとして効果的に適用できる。
【００２９】
尚、本発明の排出管路のバイパスシステムとしては、上述のマンホール内に流入する下水の排水以外にも、下水処理場に汚水を圧送するためのマンホール内に流入する下水の排出管路、あるいは家庭等からの汚水が流入され一時的にこれを貯留する汚水槽等に流入する家庭用排水の排出管路等に対して本願発明のバイパスシステムを適用できるものである。
【００３０】
図１には、本願発明の好適な実施例に係わる排出管路のバイパスシステムの概略図を示している。マンホール１は上流側で流入側の下水管４が接続され、下流側で流出側の下水管５が接続している。下水管４からマンホール１に流入した汚水等の下水はマンホール１を介して下流側の下水管５から流出されることになる。
【００３１】
図１では、下水管５の下流側にある下水管の交換作業等を行うときに、下水管５に止水栓７を設置して下水管５にマンホール１側から下水が流出しないように設定された状態を示している。マンホール１内には、流入側の下水管４から流入する下水をマンホール１の外部に排出する排出ポンプ２が設置され、同排出ポンプ２の吐出口に連通した排出管路３により、排出ポンプ２で圧送した下水を下流側の交換作業等を行う下水管を迂回して作業区間の下流側にあるマンホール等に排水している。止水栓７は、ゴム等の可撓性材で構成され空気等の流入により拡張変形して、管内の内周面に圧着するもの等から構成されている。なお、止水栓としては、これに限らず他の様々なものを用いることができる。
【００３２】
排出管路３の途中には中継ポンプ１０が設置され、排出管路内の下水を更に加圧して圧送している。中継ポンプ１０を迂回する形でバイパス管路６が設置され、バイパス管路６と排出管路３との接続部は、制御信号により切替えることのできる切替弁１５ａ、１５ｂとしての三方切替弁を介して連接されている。接続部に設置した切替弁１５ａ、１５ｂとしては、三方切替弁以外にも、チェック弁、開閉弁を用いて中継ポンプ１０側への流路からバイパス管路側への流路に切替えることが出来る。切替弁内に汚物等を含んだ下水が流れるので、弁内に汚物等が付着し難いフルボア形の弁を用いることが望ましい。
また、接続部の切替弁１５ａ、１５ｂとして、上流側、下流側のうち片方のみを制御信号により切替えることのできる弁とし、他方を手動の弁として構成してもよい。図２、図３にその実施例を示す。
【００３３】
マンホール１内には、流入側の下水管４から流入する下水の水位を検出する水位検出器としてのフロートスイッチ８ａ〜８ｃが所定の間隔を隔てて配置されている。以下の説明では、水位検出器としてフロートスイッチを用いた例を説明するが、本願発明における水位検出器はフロートスイッチに限定されるものではなく各種の水位検出器を用いることができる。
【００３４】
水位検出器としては、接触式、非接触式の水位検出器のどのタイプでも使用することができるが、非接触式の水位検出器を用いることが、水位検出器に付着物等が付着して誤作動が生じるのを防止する意味からも望ましい。
【００３５】
フロートスイッチ８ａ〜８ｃからの検出信号は制御装置９に入力され、制御装置９では入力された検出信号に応じて排出ポンプ２等を制御している。フロートスイッチ８ａ〜８ｃは、マンホール１内の水位より上方に位置した大気中では自重によって垂れ下がった状態となっており、マンホール１内に下水が流入し、下水の水面が各フロートスイッチ８ａ〜８ｃに達すると、フロートスイッチ８ａ〜８ｃが下水水面上に浮いた状態となる。フロートスイッチ８ａ〜８ｃがその姿勢を変更することによって、下水水面が各フロートスイッチ８ａ〜８ｃで検出される所定の水位に達したことを検出することができる。下水の水位が上昇し続けると水位を検出したフロートスイッチ８ａ〜８ｃは、水面下の没入した状態となる。
【００３６】
フロートスイッチ８ａ〜８ｃは、一般に使用されているようにフロートケースの内部に同フロートケースが傾斜することによって動作するマイクロスイッチが設けられており、マイクロスイッチはフロートケースによって水密状態に収納されるとともに絶縁被覆等によって水密状態としたリード線に接続され、同リード線は制御装置と接続している。このため、フロートスイッチ８ａ〜８ｃのマイクロスイッチ部及びリード線は、排水と非接触状態で排水の水位を検出することができる。
【００３７】
フロートスイッチ８ａ〜８ｃは、フロートスイッチ８ａ〜８ｃが水面上に浮いたときにスイッチがｏｎとなるａ接点と、スイッチがｏｆｆとなるｂ接点とを備えているが、ｂ接点を選択することによりリード線の断線時にもフロートスイッチ８ａ〜８ｃからの信号を検出することができるので、本願発明においてはｂ接点を選択すること望ましい。
【００３８】
フロートスイッチ８ａは、下限水位センサとして配され、排水の水位上昇によりフロートスイッチ８ａが水面上に浮き上がることで作動し、フロートスイッチ８ａとしてｂ接点を選択しているときには、フロートスイッチ８ａの作動時にフロートスイッチ８ａに接続しているリード線に電流が流れない状態、即ち、リード線に流れていた電流がｏｆｆ状態となる。このとき、フロートスイッチ８ａに流れていた電流が流れなくなった状態を制御装置にて検出することで、排水の水位が下限位置の水位に達したことを制御装置９で判断することができる。この状態が検出されると、制御装置９からの指令により排出ポンプ２を所定の回転数で回転させる。
【００３９】
また、排出ポンプ２による排水の排出により水面が下降したときには、フロートスイッチ８ａがｏｎ状態、即ちｂ接点では電流が流れた状態となり、この電流がリード線に流れている状態を制御装置が検出したときに排出ポンプ２の駆動を停止する信号を出力する。これにより、水位が排出ポンプ２の圧送可能な水位以下となり排出ポンプ２の空運転を防止することができる。
【００４０】
同様にして各フロートスイッチ８ｂ、８ｃにおいてもそれぞれのフロートスイッチ８ｂ、８ｃに接続したリード線に電流が流れているか否かの有無を検出することで排水の水位を検出することができる。フロートスイッチとして３個のフロートスイッチを用いた例を説明するが、フロートスイッチの数は３個に限定されるものではなく、少なくとも２個以上の数を用いることにより本願発明を構成することができる。
【００４１】
フロートスイッチ８ｂは、上限水位センサとして配され、下水の水位がこの上限水位センサの検出位置に達すると、排出ポンプ２の吐出量が最大吐出量となるように排出ポンプ２の回転を制御する。フロートスイッチ８ｃは、異常水位センサとして配され、下水の水位がこの異常水位センサの検出位置にまで達したときには、制御装置９は異常水位に対する処理を実行する。異常水位に対する処理としては、異常状態に対する警報音を発するとか、無線通信システム、電話通信システム等を用いて所定の場所に異常状態を通知することができる。異常水位が通報されることによって異常水位の発生原因と考えられる各種原因に対する対策等を実行することができる。
【００４２】
フロートスイッチ８ａ〜８ｃは、それぞれのフロートスイッチ８ａ〜８ｃが作動したときに、予め設定しておいた排出ポンプ２の回転数となるように運転制御する。排出ポンプ２の運転は、フロートスイッチ８ａが作動したときに運転開始を行わせるため、フロートスイッチ８ａでの検出水位は、下水が所定量溜まった後に排出ポンプ２を作動させることができる検出位置とし、排出ポンプ停止のためのフロートスイッチをフロートスイッチ８ａとは別に、同フロートスイッチ８ａより低い位置に設けることが望ましい。
【００４３】
フロートスイッチ８ａを排出ポンプの作動と停止の両方のスイッチとして兼用させると、マンホール１に流入する下水の流入量によってはフロートスイッチ８ａが作動して排出ポンプ２が運転を開始すると、直ぐに排水の水位が低下して排出ポンプ２の運転が停止してしまうことがある。
このような状態となると排出ポンプ２は起動停止を繰り返すことになり、排出ポンプ２を安定的に駆動させることができなくなり、排出ポンプ２の寿命を短くしてしまう。
【００４４】
フロートスイッチ８ａ〜８ｃは、それぞれのスイッチが水位を検出したときに、排出ポンプ２の回転数を例えば、フロートスイッチ８ａの作動時には、排出ポンプ２を運転開始するとともに、回転数を吐出能力の５０％の状態での回転を行わせ、フロートスイッチ８ｂの作動時には同１００％の回転を行うように制御することができる。また、異常水位センサであるフロートスイッチ８ｃが作動したときには、排出ポンプの回転を１００％の運転状態に維持した状態で外部に異常等を知らせる警報を出力することができる。
【００４５】
排出ポンプ２の駆動により、例えば、排水の水位が上昇しフロートスイッチ８ｂが作動した後に水位が下降したときには、フロートスイッチ８ａが水位の降下を検出するまで、排出ポンプ２の回転数をフロートスイッチ８ｂに対応した１００％の回転を維持することが望ましい。これにより、大雨等により流入量が急増しても、マンホール内から下水が溢れ出ることなくすることが可能となる。
【００４６】
中継ポンプ１０をバイパスする形でバイパス管路６が設けられており、バイパス管路６は排出管路３との接続部には、制御装置９からの指令により流路を切替える一対の切替弁１５ａ、１５ｂが配されている。中継ポンプ１０には、中継ポンプ１０の異常を検出する検出器が設けられ、中継ポンプの異常過熱の検出や、漏電、電流短絡等による過電流に対するブレーカ等が設けられている。
【００４７】
このような異常状態が発生して中継ポンプ１０の異常が検出されると制御装置９は、中継ポンプ１０の運転を停止して警報等を通報するとともに、切替弁１５ａ、１５ｂを切替えて排出ポンプ２で汲み上げた下水をバイパス管路６を介して下流側のマンホール等に排水する。中継ポンプの異常状態を検出する検出方法としては、ポンプの異常を検出する各種検出方法を用いることにより異常状態を検出することができる。
【００４８】
これにより、中継ポンプ１０に異常が発生したとしても、マンホール１からの下水の汲み上げを停止することなく、汲み上げ作業を継続することができる。しかも、バイパス管路６への切替期間中に中継ポンプ１０の修理等を行うことができる。
なお、バイパス管路６に予備の中継ポンプを設けておき、バイパス管路６への切替とともに中継ポンプ１０から予備の中継ポンプへの運転切替を行うこともできる。
【００４９】
図１では、排出管路３とバイパス管路６との接続部における切替弁１５ａ、１５ｂとして、上流側、下流側とも制御信号により切替えることのできる三方切替弁を用いて、両方の切替弁１５ａ、１５ｂを制御装置により切替える例を示しているが、図２、図３に示すように一方の切替弁１５ａ又は１５ｂを手動の弁１７に置き換えて構成することもできる。
【００５０】
手動の弁１７の配置位置としては、接続部より中継ポンプ１０側寄りに配置すれば、手動の弁を閉じることにより排出ポンプ２で汲み上げた下水が中継ポンプ１０に流入するのを遮断することが出来る。この場合には、中継ポンプ１０の修理等は、手動の弁１７を閉じて中継ポンプ１０側への汚水の流路を完全に遮断してから行うことになる。
このようにして、中継ポンプ１０に係わると考えられる異常が発生したときには、中継ポンプ１０を迂回して下水を下流側に排水することができる。
【００５１】
排出管路３とバイパス管路６との接続部における切替弁１５ａ又は／及び切替弁１５ｂの切替制御は、中継ポンプ１０の異常状態を検出したとき以外に、異常水位センサとしてのフロートスイッチ８ｃが異常水位を検出したときや、排出ポンプ２に異常が発生したとき等に接続部における切替弁の切替制御を行うこともできる。尚、排出ポンプ２に異常が発生したときについての対処は図４を用いて以下で説明する。
【００５２】
図４を用いて、排出ポンプ２に異常が発生したときの対処について説明する。マンホール１内に予備排出ポンプ１２を更に設け、同予備排出ポンプ１２の吐出口に連接した予備排出管路１３が、バイパス管路６と排出管路３との接続部よりも上流側で第２の切替弁１６として、制御信号により切替えることのできる三方切替弁を介して接続されている。第２の切替弁１６としては、三方切替弁以外にも開閉弁等を用いることができる。
【００５３】
排出ポンプ２から予備排出ポンプ１２への運転切替制御及び第２の切替弁１６の切替により予備排出管路１３と排出管路３とを連通させる制御は、排出ポンプ２の異常発生や異常水位の検出等によって出力される制御装置９からの指令により行われる。排出ポンプ２の異常状態は、排出ポンプ２の異常過熱、即ち異常温度上昇の検出や、漏電、電流短絡等による過電流に対するブレーカによる検出等、ポンプの異常作動状態を検出する各種検出方法により異常状態を検出することができる。
【００５４】
排出ポンプ２の異常状態は、排出ポンプ２単独で発生した異常状態の場合もあるが、何らかの原因で中継ポンプ１０の吐出量が減少して排出ポンプ２の吐出側に高圧が発生して排出ポンプ２が高負荷状態となる場合など中継ポンプ１０が原因となって異常状態が発生する場合も起こり得る。このような場合であっても排出ポンプ２の異常が検出されたときには、バイパス管路６に流路を切替る制御を行うことで異常状態を回避することができる。
【００５５】
本願発明のバイパスシステムにおける異常状態として、例えば、上記の排出ポンプの異常発生、異常水位発生、中継ポンプの異常発生、水位検出のフロートスイッチの異常状態、例えば下位側に配したフロートスイッチがｏｆｆ状態なのに上位側に配したフロートスイッチがｏｎ状態となるような場合等、が発生したことを制御装置９が検知したときには、異常状態の警報を発するとともに、制御装置９内に通信手段を設けておき、同通信手段により外部に異常状態が発生したことを通報する事ができる。通信手段としては、電話回線、携帯電話の通信手段、無線通信手段、インターネットを経由しての通信手段等各種通信手段を採用することができる。
【００５６】
これにより、排出ポンプ２の異常発生、異常水位発生、中継ポンプ１０の異常発生の場合であっても、マンホール１内に流入する下水を遅滞なく下流側に排出することで、排水の安全性を高めることができる。特に、下水には汚物や工場廃水等が含まれているためマンホールから下流側への流れを止水して作業を行う場合には、下水がマンホールから溢れ出るのを防止すること求められており、本願発明のバイパスシステムを採用することで、このような場合でもマンホールから下水が溢れ出ることを防止することができるようになる。また、異常状態が発生したときには、警報を発するとともに外部に異常を通報することができるので、異常状態の処理を広範囲にわたって迅速に対応することができるようになる。
【図面の簡単な説明】
【図１】本願発明の実施例を示す概略図である。
【図２】接続部における切替弁の実施例を示す図である。
【図３】接続部における切替弁の他の実施例を示す図である。
【図４】マンホール内に予備排出ポンプを設置した実施例を示す概略図である。
【図５】従来例におけるマンホール内に設置した排出ポンプの概略図である。
【図６】他の従来例における汚水枡内からの排水状況を示した概略図である。
【符号の説明】
１            マンホール
２            排出ポンプ
３            排出管路
４、５        下水管
６            バイパス管路
７            止水栓
８ａ〜８ｃ    フロートスイッチ
９            制御装置
１０            中継ポンプ
１２            予備排出ポンプ
１３            予備排出管路
１５ａ、１５ｂ  切替弁
１６            切替弁
１７            弁
２１            マンホール
２２Ａ、Ｂ      排出ポンプ
３１            汚水枡
３２            配管
３３            ドラム状器具
３４            水位センサ
３７            バルブ
３８            導管
３９            自動集水器
ＨＷＬ          ポンプ起動水位
ＬＷＬ          ポンプ停止水位
【図１】
2004250881.tif 000003
【図２】
2004250881.tif 000004
【図３】
2004250881.tif 000005
【図４】
2004250881.tif 000006
【図５】
2004250881.tif 000007
【図６】
2004250881.tif 000008